(57)【要約】【課題】本発明は自動サイズ調節可能な缶切りを開示した。【解決手段】支持ベースを含み、前記支持ベースには缶詰をきつく挟める固定機構と、缶詰をきつく挟んだ前記固定機構に回転を実現させることができる旋転機構とが設置され、前記支持ベースの上端面には支持ロッドが設置され、前記支持ベースの上端面にはまた駆動柱が設置され、前記旋転機構は前記駆動柱の下端の中に位置しており、且つ片側に開口した旋転チャンバを含み、前記旋転チャンバの上端壁の中には従動チャンバが設置され、本装置は作動する時、缶詰をより有効に固定し、缶詰を開ける時に缶詰が回転し、缶詰を開けることに影響することを防止し、缶詰を開ける成功率を高め、相対の回転により缶詰の缶と蓋を高効率に分離し、缶詰を開ける難度を下げ、且つ異なるサイズの缶詰を固定して開けることもできる。【選択図】図１
2020175946.tif 000002
【特許請求の範囲】
【請求項１】
支持ベースを含み、前記支持ベースには缶詰をきつく挟める固定機構と、缶詰をきつく挟んだ前記固定機構に回転を実現させることができる旋転機構とが設置され、前記支持ベースの上端面には支持ロッドが設置され、前記支持ベースの上端面にはまた駆動柱が設置され、前記旋転機構は前記駆動柱の下端の中に位置しており、且つ片側に開口した旋転チャンバを含み、前記旋転チャンバの上端壁の中には従動チャンバが設置され、前記旋転チャンバの中には旋転モーターが設置され、前記旋転モーターには上端が前記従動チャンバの中に位置している旋転軸が動力が伝達できるように連結され、前記旋転チャンバの下端壁には従動軸が回転できるように連結され、前記旋転軸の下端には旋転ギヤが設置され、前記従動軸には一端が外部空間の中に位置している従動ギヤが設置され、前記固定機構は前記従動ギヤにより連動して回転する固定ブロックを含み、前記固定ブロックの中には下方に開口した支持溝が設置され、前記支持ロッドの上端が前記支持溝の中に位置しており、前記支持溝の前後端壁と両側端壁との中にはいずれもばねチャンバが設置され、前記ばねチャンバの上端壁の中には復帰ばねが設置され、前記復帰ばねの下端にはばね板が設置され、前記ばね板の上端面にはばねロッドが設置され、前記ばね板の上端面にはまたリミットロッドが設置され、前記固定ブロックの上端面には四つの押出ブロックが設置され、前記押出ブロックの中には外部空間に連通している押出チャンバが設置され、前記押出チャンバの下端壁には上方に開口したスライド溝が設置され、前記スライド溝の中には上端が前記押出チャンバの中に位置しているスライドブロックが設置され、前記スライドブロックの上端には押出ロッドが設置され、前記押出ロッドの一端と前記押出チャンバの片側端壁との間には押出ばねが固定的に設置され、前記リミットロッドの上端が前記固定ブロックを貫通しており、且つ前記スライド溝の中に位置している。自動サイズ調節可能な缶切りであり、支持ベースを含み、前記支持ベースには缶詰をきつく挟める固定機構と、缶詰をきつく挟んだ前記固定機構に回転を実現させることができる旋転機構とが設置され、前記支持ベースの上端面には支持ロッドが設置され、前記支持ベースの上端面にはまた駆動柱が設置され、前記旋転機構は前記駆動柱の下端の中に位置しており、且つ片側に開口した旋転チャンバを含み、前記旋転チャンバの上端壁の中には従動チャンバが設置され、前記旋転チャンバの中には旋転モーターが設置され、前記旋転モーターには上端が前記従動チャンバの中に位置している旋転軸が動力が伝達できるように連結され、前記旋転チャンバの下端壁には従動軸が回転できるように連結され、前記旋転軸の下端には旋転ギヤが設置され、前記従動軸には一端が外部空間の中に位置している従動ギヤが設置され、前記固定機構は前記従動ギヤにより連動して回転する固定ブロックを含み、前記固定ブロックの中には下方に開口した支持溝が設置され、前記支持ロッドの上端が前記支持溝の中に位置しており、前記支持溝の前後端壁と両側端壁との中にはいずれもばねチャンバが設置され、前記ばねチャンバの上端壁の中には復帰ばねが設置され、前記復帰ばねの下端にはばね板が設置され、前記ばね板の上端面にはばねロッドが設置され、前記ばね板の上端面にはまたリミットロッドが設置され、前記固定ブロックの上端面には四つの押出ブロックが設置され、前記押出ブロックの中には外部空間に連通している押出チャンバが設置され、前記押出チャンバの下端壁には上方に開口したスライド溝が設置され、前記スライド溝の中には上端が前記押出チャンバの中に位置しているスライドブロックが設置され、前記スライドブロックの上端には押出ロッドが設置され、前記押出ロッドの一端と前記押出チャンバの片側端壁との間には押出ばねが固定的に設置され、前記リミットロッドの上端が前記固定ブロックを貫通しており、且つ前記スライド溝の中に位置していることを特徴とする自動サイズ調節可能な缶切り。
【請求項２】
前記旋転機構はまた前記旋転軸の上端に位置しているベルトプーリーを含み、前記駆動柱の上端には固定ロッドが固定的に設置され、前記固定ロッドの中には下方に開口した回転チャンバが設置され、前記回転チャンバの上端壁には回転軸が回転できるように設置され、前記回転軸の下端には回転ブロックが設置され、前記回転ブロックの中にはリミットチャンバが設置され、前記リミットチャンバの上端壁には電磁石が設置され、前記リミットチャンバの中には電磁板が設置され、前記電磁板の下端面には下端が外部空間の中に位置している電磁柱が設置され、前記ベルトプーリーと前記回転ブロックとの間がベルトにより連結されていることを特徴とする請求項１に記載の自動サイズ調節可能な缶切り。
【請求項３】
前記固定機構はまた前記固定ブロックの中に位置しており、且つ上方に開口した四つの収納溝を含み、前記収納溝の下端壁には二本の、上端が外部空間の中に位置している支持柱が設置され、二本の前記支持柱の間には支持軸が回転できるように連結され、前記支持軸には挟みロッドが回転できるように設置され、前記支持軸には従動ロッドが固定的に設置され、前記挟みロッドと前記支持軸との間がねじりばねにより連結され、前記押出チャンバの上端壁の中には上方に開口した引き動かし溝が設置され、前記引き動かし溝の中には上端が外部空間の中に位置している引き動かしロッドが設置され、前記引き動かしロッドの上端には引きブロックが設置され、前記引き動かし溝の片側端壁の中には前記引き動かし溝に連通している制限溝が設置され、前記制限溝の中には制限ブロックが設置され、前記制限ブロックと前記制限溝の片側端壁との間には制限ばねが固定的に連結され、前記ばね板の上端面にはまたロープが設置され、前記ロープの上端が前記固定ブロックと前記制限溝の端壁とを貫通しており、且つ前記制限ブロックと連結され、前記引き動かしロッドの下端にはチェーンが固定的に設置され、前記チェーンの下端が前記引き動かし溝の下端壁と前記押出チャンバの片側端壁とを貫通しており、且つ前記押出ロッドの一端と固定的に連結されていることを特徴とする請求項１に記載の自動サイズ調節可能な缶切り。
【発明の詳細な説明】
【技術分野】
【０００１】
本発明は缶切り分野に関わり、具体的には自動サイズ調節可能な缶切りである。
【背景技術】
【０００２】
今、回して捻じ開ける必要がある缶詰を開ける時、多数の人は手動の方式で開けるのであり、この方法は手間がかかり、且つ効率が低く、快速に缶詰を開けられなく、既存の手動の缶切りは缶詰をしっかりと固定できないため、開ける時に缶詰が回転し、缶詰を開けることに影響し、缶詰を開ける成功率を下げる。
【先行技術文献】
【特許文献】
【０００３】
【特許文献１】中国特許出願公開第104671171号明細書
【発明の概要】
【発明が解決しようとする課題】
【０００４】
本発明は自動サイズ調節可能な缶切りを提供し、上記背景技術にある欠点を解消することを目的とする。
【課題を解決するための手段】
【０００５】
上記目的を実現するため、本発明は以下の技術プランを提供する：本発明の実施例は、自動サイズ調節可能な缶切りであり、支持ベースを含み、前記支持ベースには缶詰をきつく挟める固定機構と、缶詰をきつく挟んだ前記固定機構に回転を実現させることができる旋転機構とが設置され、前記支持ベースの上端面には支持ロッドが設置され、前記支持ベースの上端面にはまた駆動柱が設置され、前記旋転機構は前記駆動柱の下端の中に位置しており、且つ片側に開口した旋転チャンバを含み、前記旋転チャンバの上端壁の中には従動チャンバが設置され、前記旋転チャンバの中には旋転モーターが設置され、前記旋転モーターには上端が前記従動チャンバの中に位置している旋転軸が動力が伝達できるように連結され、前記旋転チャンバの下端壁には従動軸が回転できるように連結され、前記旋転軸の下端には旋転ギヤが設置され、前記従動軸には一端が外部空間の中に位置している従動ギヤが設置され、前記固定機構は前記従動ギヤにより連動して回転する固定ブロックを含み、前記固定ブロックの中には下方に開口した支持溝が設置され、前記支持ロッドの上端が前記支持溝の中に位置しており、前記支持溝の前後端壁と両側端壁との中にはいずれもばねチャンバが設置され、前記ばねチャンバの上端壁の中には復帰ばねが設置され、前記復帰ばねの下端にはばね板が設置され、前記ばね板の上端面にはばねロッドが設置され、前記ばね板の上端面にはまたリミットロッドが設置され、前記固定ブロックの上端面には四つの押出ブロックが設置され、前記押出ブロックの中には外部空間に連通している押出チャンバが設置され、前記押出チャンバの下端壁には上方に開口したスライド溝が設置され、前記スライド溝の中には上端が前記押出チャンバの中に位置しているスライドブロックが設置され、前記スライドブロックの上端には押出ロッドが設置され、前記押出ロッドの一端と前記押出チャンバの片側端壁との間には押出ばねが固定的に設置され、前記リミットロッドの上端が前記固定ブロックを貫通しており、且つ前記スライド溝の中に位置している。
【０００６】
好ましくは、前記旋転機構はまた前記旋転軸の上端に位置しているベルトプーリーを含み、前記駆動柱の上端には固定ロッドが固定的に設置され、前記固定ロッドの中には下方に開口した回転チャンバが設置され、前記回転チャンバの上端壁には回転軸が回転できるように設置され、前記回転軸の下端には回転ブロックが設置され、前記回転ブロックの中にはリミットチャンバが設置され、前記リミットチャンバの上端壁には電磁石が設置され、前記リミットチャンバの中には電磁板が設置され、前記電磁板の下端面には下端が外部空間の中に位置している電磁柱が設置され、前記ベルトプーリーと前記回転ブロックとの間がベルトにより連結されている。
【０００７】
好ましくは、前記固定機構はまた前記固定ブロックの中に位置しており、且つ上方に開口した四つの収納溝を含み、前記収納溝の下端壁には二本の、上端が外部空間の中に位置している支持柱が設置され、二本の前記支持柱の間には支持軸が回転できるように連結され、前記支持軸には挟みロッドが回転できるように設置され、前記支持軸には従動ロッドが固定的に設置され、前記挟みロッドと前記支持軸との間がねじりばねにより連結され、前記押出チャンバの上端壁の中には上方に開口した引き動かし溝が設置され、前記引き動かし溝の中には上端が外部空間の中に位置している引き動かしロッドが設置され、前記引き動かしロッドの上端には引きブロックが設置され、前記引き動かし溝の片側端壁の中には前記引き動かし溝に連通している制限溝が設置され、前記制限溝の中には制限ブロックが設置され、前記制限ブロックと前記制限溝の片側端壁との間には制限ばねが固定的に連結され、前記ばね板の上端面にはまたロープが設置され、前記ロープの上端が前記固定ブロックと前記制限溝の端壁とを貫通しており、且つ前記制限ブロックと連結され、前記引き動かしロッドの下端にはチェーンが固定的に設置され、前記チェーンの下端が前記引き動かし溝の下端壁と前記押出チャンバの片側端壁とを貫通しており、且つ前記押出ロッドの一端と固定的に連結されている。
【発明の効果】
【０００８】
以上により、本発明の有益な効果：本装置は構成が簡単で、操作が便利で、缶詰をより有効に固定し、缶詰を開ける時に缶詰が回転し、缶詰を開けることに影響することを防止し、缶詰を開ける成功率を高め、相対の回転により缶詰の缶と蓋を高効率に分離し、缶詰を開ける難度を下げ、また機械的な伝動協働により、缶詰を開ける各プロセスを高効率で自動的に完成し、缶詰を開ける効率を高め、且つ異なるサイズの缶詰を固定して開けることもできる。
【図面の簡単な説明】
【０００９】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。以下、図１−４を合わせて本発明を詳しく説明し、意思の疎通により便利なため、後文に出る方位を下記の通りに規定する：後文に出る上下左右前後の方向は図１自体の投影関係の上下左右前後の方向と一致している。
【００１０】
【図１】図１は本発明の自動サイズ調節可能な缶切りの全体全断面の正面構成概略図
【図２】図２は本発明の自動サイズ調節可能な缶切りの固定機構の局部断面の正面拡大構成概略図
【図３】図３は本発明の自動サイズ調節可能な缶切りの固定ブロックの全断面の平面構成概略図
【図４】図４は本発明の自動サイズ調節可能な缶切りの固定ロッドの全断面の左側面拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−４を参照し、本発明の実施例は、自動サイズ調節可能な缶切りであり、支持ベース１を含み、前記支持ベース１には缶詰をきつく挟める固定機構１９と、缶詰をきつく挟んだ前記固定機構１９に回転を実現させることができる旋転機構７とが設置され、前記支持ベース１の上端面には支持ロッド４３が設置され、前記支持ベース１の上端面にはまた駆動柱４５が設置され、前記旋転機構７は前記駆動柱４５の下端の中に位置しており、且つ片側に開口した旋転チャンバ３を含み、前記旋転チャンバ３の上端壁の中には従動チャンバ１０が設置され、前記旋転チャンバ３の中には旋転モーター２が設置され、前記旋転モーター２には上端が前記従動チャンバ１０の中に位置している旋転軸８が動力が伝達できるように連結され、前記旋転チャンバ３の下端壁には従動軸６が回転できるように連結され、前記旋転軸８の下端には旋転ギヤ４が設置され、前記従動軸６には一端が外部空間の中に位置している従動ギヤ５が設置され、前記固定機構１９は前記従動ギヤ５により連動して回転する固定ブロック３５を含み、前記固定ブロック３５の中には下方に開口した支持溝４４が設置され、前記支持ロッド４３の上端が前記支持溝４４の中に位置しており、前記支持溝４４の前後端壁と両側端壁との中にはいずれもばねチャンバ３６が設置され、前記ばねチャンバ３６の上端壁の中には復帰ばね３９が設置され、前記復帰ばね３９の下端にはばね板３７が設置され、前記ばね板３７の上端面にはばねロッド４７が設置され、前記ばね板３７の上端面にはまたリミットロッド３４が設置され、前記固定ブロック３５の上端面には四つの押出ブロック２５が設置され、前記押出ブロック２５の中には外部空間に連通している押出チャンバ３２が設置され、前記押出チャンバ３２の下端壁には上方に開口したスライド溝３３が設置され、前記スライド溝３３の中には上端が前記押出チャンバ３２の中に位置しているスライドブロック３８が設置され、前記スライドブロック３８の上端には押出ロッド２１が設置され、前記押出ロッド２１の一端と前記押出チャンバ３２の片側端壁との間には押出ばね４６が固定的に設置され、前記リミットロッド３４の上端が前記固定ブロック３５を貫通しており、且つ前記スライド溝３３の中に位置している。
【００１３】
有益なように、前記旋転機構７はまた前記旋転軸８の上端に位置しているベルトプーリー９を含み、前記駆動柱４５の上端には固定ロッド１８が固定的に設置され、前記固定ロッド１８の中には下方に開口した回転チャンバ１６が設置され、前記回転チャンバ１６の上端壁には回転軸１４が回転できるように設置され、前記回転軸１４の下端には回転ブロック１５が設置され、前記回転ブロック１５の中にはリミットチャンバ１２が設置され、前記リミットチャンバ１２の上端壁には電磁石１３が設置され、前記リミットチャンバ１２の中には電磁板１１が設置され、前記電磁板１１の下端面には下端が外部空間の中に位置している電磁柱１７が設置され、前記ベルトプーリー９と前記回転ブロック１５との間がベルト４８により連結されている。
【００１４】
有益なように、前記固定機構１９はまた前記固定ブロック３５の中に位置しており、且つ上方に開口した四つの収納溝４０を含み、前記収納溝４０の下端壁には二本の、上端が外部空間の中に位置している支持柱４１が設置され、二本の前記支持柱４１の間には支持軸２４が回転できるように連結され、前記支持軸２４には挟みロッド２２が回転できるように設置され、前記支持軸２４には従動ロッド４２が固定的に設置され、前記挟みロッド２２と前記支持軸２４との間がねじりばね２３により連結され、前記押出チャンバ３２の上端壁の中には上方に開口した引き動かし溝２６が設置され、前記引き動かし溝２６の中には上端が外部空間の中に位置している引き動かしロッド３０が設置され、前記引き動かしロッド３０の上端には引きブロック２７が設置され、前記引き動かし溝２６の片側端壁の中には前記引き動かし溝２６に連通している制限溝４９が設置され、前記制限溝４９の中には制限ブロック２８が設置され、前記制限ブロック２８と前記制限溝４９の片側端壁との間には制限ばね２９が固定的に連結され、前記ばね板３７の上端面にはまたロープ３１が設置され、前記ロープ３１の上端が前記固定ブロック３５と前記制限溝４９の端壁とを貫通しており、且つ前記制限ブロック２８と連結され、前記引き動かしロッド３０の下端にはチェーン２０が固定的に設置され、前記チェーン２０の下端が前記引き動かし溝２６の下端壁と前記押出チャンバ３２の片側端壁とを貫通しており、且つ前記押出ロッド２１の一端と固定的に連結されている。
【００１５】
以下、出願人は附図１−４及び上記本願の自動サイズ調節可能な缶切りの具体的な構成を参考して本願の自動サイズ調節可能な缶切りの使用方法を詳しく紹介する：
【００１６】
初期状態の下で、前記押出ばね４６が圧縮された状態にあり、また缶詰の重量が前記復帰ばね３９に完全な引っ張り状態にさせることができなく、前記挟みロッド２２の片側端面が前記固定ブロック３５の上端面と接触しており、前記電磁石１３と前記電磁板１１とが互いに吸引し合っている。
【００１７】
前記缶詰を前記固定ブロック３５の中心に置き、前記従動ロッド４２を連動させて前記固定ブロック３５の上端面に近づかせ、それにより前記ばねロッド４７を下降連動させ、それにより前記ばね板３７と前記制限ロッド３４とを下降させ、前記復帰ばね３９が引っ張られ、前記電磁石１３と前記電磁板１１とが互いに反発し合い、それにより前記電磁柱１７の下端と缶詰の上端とが互いに吸引し合って缶詰を下へ運動連動させ、それにより前記ばねロッド４７の上端が完全に外部空間から離れ、且つ前記復帰ばね３９が完全な引っ張り状態にあり、それにより前記リミットロッド３４の上端が完全に前記スライド溝３３から離れ、それと同時に前記ばね板３７が下降して前記ロープ３１の伝動を通じて前記制限ブロック２８を連動させて前記引き動かし溝２６から離れさせ、それにより前記押出ブロック２１が前記押出ばね４６の作用の下で前記押出チャンバ３２から離れ、それにより前記挟みロッド２２を回転連動させて前記挟みロッド２２に缶詰をきつく挟ませ、前記ねじりばね２３が捩られ、前記引き動かしロッド３０が下降する。
【００１８】
この時、前記旋転モーター２が作動して前記旋転軸８を回転連動させ、それにより前記旋転ギヤ４と前記ベルトプーリー９とを回転させ、それにより前記回転ブロック１５と前記従動ギヤ５とを回転させ、前記回転ブロック１５が前記電磁柱１７に缶詰の蓋を回転連動させ、前記従動ギヤ５が前記固定ブロック３５を逆方向に回転連動させ、缶詰の下端を逆方向に回転させ、それにより缶詰をより速く開けることができる。
【００１９】
開けられた缶詰を取り出す時、前記電磁石１３と前記電磁板１１とが互いに吸引し合い、前記復帰ばね３９が前記ばね板３７を上方へ運動連動させ、前記ロープ３１が緩められ、前記引きブロック２７を引き動かして前記引き動かしロッド３０を上方へ運動させ、前記押出ブロック２１を復帰させ、前記引き動かしロッド３０が上方へ一定の程度に運動した後、前記制限ブロック２８が前記制限ばね２９の作用の下で弾み出され、前記引き動かしロッド３０の下降を制限し、缶詰を取り出し、装置はばねの作用の下で復帰する。
【００２０】
本発明の有益な効果：本装置は構成が簡単で、操作が便利で、缶詰をより有効に固定し、缶詰を開ける時に缶詰が回転し、缶詰を開けることに影響することを防止し、缶詰を開ける成功率を高め、相対の回転により缶詰の缶と蓋を高効率に分離し、缶詰を開ける難度を下げ、また機械的な伝動協働により、缶詰を開ける各プロセスを高効率で自動的に完成し、缶詰を開ける効率を高め、且つ異なるサイズの缶詰を固定して開けることもできる。
【００２１】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020175946.tif 000003
【図２】
2020175946.tif 000004
【図３】
2020175946.tif 000005
【図４】
2020175946.tif 000006
【手続補正書】
【提出日】令和1年8月15日(2019.8.15)
【手続補正１】
【補正対象書類名】特許請求の範囲
【補正対象項目名】請求項１
【補正方法】変更
【補正の内容】
【請求項１】
自動サイズ調節可能な缶切りであり、支持ベースを含み、前記支持ベースには缶詰をきつく挟める固定機構と、缶詰をきつく挟んだ前記固定機構に回転を実現させることができる旋転機構とが設置され、前記支持ベースの上端面には支持ロッドが設置され、前記支持ベースの上端面にはまた駆動柱が設置され、前記旋転機構は前記駆動柱の下端の中に位置しており、且つ片側に開口した旋転チャンバを含み、前記旋転チャンバの上端壁の中には従動チャンバが設置され、前記旋転チャンバの中には旋転モーターが設置され、前記旋転モーターには上端が前記従動チャンバの中に位置している旋転軸が動力が伝達できるように連結され、前記旋転チャンバの下端壁には従動軸が回転できるように連結され、前記旋転軸の下端には旋転ギヤが設置され、前記従動軸には一端が外部空間の中に位置している従動ギヤが設置され、前記固定機構は前記従動ギヤにより連動して回転する固定ブロックを含み、前記固定ブロックの中には下方に開口した支持溝が設置され、前記支持ロッドの上端が前記支持溝の中に位置しており、前記支持溝の前後端壁と両側端壁との中にはいずれもばねチャンバが設置され、前記ばねチャンバの上端壁の中には復帰ばねが設置され、前記復帰ばねの下端にはばね板が設置され、前記ばね板の上端面にはばねロッドが設置され、前記ばね板の上端面にはまたリミットロッドが設置され、前記固定ブロックの上端面には四つの押出ブロックが設置され、前記押出ブロックの中には外部空間に連通している押出チャンバが設置され、前記押出チャンバの下端壁には上方に開口したスライド溝が設置され、前記スライド溝の中には上端が前記押出チャンバの中に位置しているスライドブロックが設置され、前記スライドブロックの上端には押出ロッドが設置され、前記押出ロッドの一端と前記押出チャンバの片側端壁との間には押出ばねが固定的に設置され、前記リミットロッドの上端が前記固定ブロックを貫通しており、且つ前記スライド溝の中に位置していることを特徴とする自動サイズ調節可能な缶切り。